(57)【要約】【課題】ヘッドフォンの端末本体への接続状態に応じて、着信音声について常に最適な音量で応答できる携帯端末を提供すること。【解決手段】  着信があった場合、ヘッドフォンの接続状態を検出し、その状態に応じて、ヘッドフォン及びスピーカーのうち少なくとも一つから出力する音声の音量を調節する。【選択図】図１
2011103580.tif 000002
【特許請求の範囲】
【請求項１】
ヘッドフォンと
端末本体に内蔵されたスピーカーと、
前記ヘッドフォンの前記端末本体への接続状態を検出するヘッドフォン接続検出手段と、
その接続状態により前記ヘッドフォン及び前記内臓スピーカーのうち少なくとも一つから出力する音声の音量を調節する音量調節手段と
を備えたことを特徴とする携帯端末。
【請求項２】
請求項１に記載の携帯端末において、前記音量調節手段は、前記ヘッドフォンが前記端末本体に接続されている場合には予め設定された第１音量で前記ヘッドフォンに音声を出力させ、前記ヘッドフォンが接続されていない場合には予め設定された第１音量で前記スピーカーに音声を出力させることを特徴とする携帯端末。
【請求項３】
請求項１に記載の携帯端末において、前記端末本体は、音楽出力状態を検出する音楽出力検出手段を有していることを特徴とする携帯端末。
【請求項４】
請求項３に記載の携帯端末において、前記音量調節手段は、前記音楽出力検出手段による前記音楽出力状態、及び前記ヘッドフォン接続検出手段による前記ヘッドフォンの接続状態により、音声の音量を調節することを特徴とする携帯端末。
【請求項５】
請求項４に記載の携帯端末において、
前記ヘッドフォン接続検出手段又は前記音楽出力検出手段によって、
前記ヘッドフォンの前記端末本体に接続され、且つ、前記音楽が出力されていることが検出された場合は、予め設定された第１音量で音声を前記ヘッドフォンに出力させ、
前記ヘッドフォンの前記端末本体に接続されず、或いは、前記音楽が出力されないことが検出された場合は、予め設定された第１音量で音声をスピーカーに出力させることを特徴とする携帯端末。
【請求項６】
請求項２又は５に記載の携帯端末において、前記第１音量は、前記第１音量以下であることを特徴とする携帯端末。
【請求項７】
コンピュータに、
無線部からの着信信号を検出するステップと、
着信信号を検出した場合はヘッドフォンの端末本体への接続状態を検出するステップと、
前記ヘッドフォンの接続状態により、前記ヘッドフォン及び前記内臓スピーカーのうち少なくとも一つから出力する音声の音量を調節するステップと
を実行させることを特徴とするプログラム。
【請求項８】
コンピュータに、
無線部からの着信信号を検出するステップと、
着信信号を検出した場合は、
前記ヘッドフォンが前記端末本体に接続されているときは、予め設定された第１音量で音声をヘッドフォンに出力させ、
前記ヘッドフォン前記端末本体に接続されていないときは、予め設定された第１音量で音声をスピーカーに出力させるステップと
を実行させることを特徴とするプログラム。
【請求項９】
コンピュータに、
無線部からの着信信号を検出するステップと、
着信信号を検出した場合は、
前記ヘッドフォンが前記端末本体に接続され、且つ、前記音楽が出力されているときは、予め設定された第１音量で音声をヘッドフォンに出力させ、
前記ヘッドフォン前記端末本体に接続されず、或いは、前記音楽が出力されていないときは、予め設定された第１音量で音声をスピーカーに出力させるステップと
を実行させることを特徴とするプログラム。
【請求項１０】
請求項８又は９に記載のプログラムにおいて、前記第１音量は、前記第１音量以下である音量とすることを特徴とするプログラム。
【請求項１１】
無線部からの着信信号を検出するステップと、
着信信号を検出した場合はヘッドフォンの端末本体への接続状態を検出するステップと、
前記ヘッドフォンの接続状態により、前記ヘッドフォン及び前記内臓スピーカーのうち少なくとも一つから出力する音声の音量を調節するステップと
を実行させることを特徴とする着信音声音量制御方法。
【請求項１２】
無線部からの着信信号を検出するステップと、
着信信号を検出した場合は、
前記ヘッドフォンが前記端末本体に接続されているときは、予め設定された第１音量で音声をヘッドフォンに出力させ、
前記ヘッドフォン前記端末本体に接続されていないときは、予め設定された第１音量で音声をスピーカーに出力させるステップと
を実行させることを特徴とする着信音声音量制御方法。
【請求項１３】
無線部からの着信信号を検出するステップと、
着信信号を検出した場合は、
前記ヘッドフォンが前記端末本体に接続され、且つ、前記音楽が出力されているときは、予め設定された第１音量で音声をヘッドフォンに出力させ、
前記ヘッドフォン前記端末本体に接続されず、或いは、前記音楽が出力されていないときは、予め設定された第１音量で音声をスピーカーに出力させるステップと
を実行させることを特徴とする着信音声音量制御方法。
【請求項１４】
請求項１２又は１３に記載の着信音声音量制御方法において、前記第１音量は、前記第１音量以下である音量とすることを特徴とする着信音声音量制御方法。
【発明の詳細な説明】
【技術分野】
【０００１】
本発明は、ヘッドフォンの端末本体への接続状態に応じて、最適な音量で着信音声を出力する携帯端末、そのプログラム及び着信音声音量制御方法に関する。
【背景技術】
【０００２】
携帯電話に代表される携帯端末で、インターネットを通じて、音楽、ゲーム、動画等のコンテンツを手軽に入手できるようになり、いつどこでも楽しめるようになった。音声が出力されるアプリケーションを利用する場合、電車等の公共の場において周囲の迷惑とならないように、ヘッドフォンを備えた携帯端末を用いて音楽等を聴くユーザがほとんどである。そのため、最近では、ヘッドフォンで大音量の音声を聞くことによって、難聴等の耳の健康を損ねるという人体への被害もニュース等で報道され問題視されている。したがって、ヘッドフォンの人体への装着状態に応じて、音声の音量を調節する対策が必要である。
【０００３】
携帯端末の着信音声の音量を調節する従来技術が以下の特許文献１及び特許文献２に開示されている。特許文献１では、音声出力中に着信があった場合、音声の音量を指定された音量より下げて出力させると共に、着信音の音量を設定された音量よりも低い音量から徐々に上げて出力させるという技術が開示されている。また、特許文献２では、音声出力中に着信があった場合、モノラル用イヤホンの接続が検出されているときは当該音声の音量で出力され、ステレオ用イヤホンの接続が検出されているとき又はイヤホンが検出されていないときは、イヤホンの片方からは音声出力及びもう片方からは着信音声が、ステレオ音声の音量と同じになるように調節されたモノラル音声で出力される技術が開示されている。
【先行技術文献】
【特許文献】
【０００４】
【特許文献１】特開２００６−１３５８４１号公報
【特許文献２】特開２００２−３１１８４０号公報
【発明の概要】
【発明が解決しようとする課題】
【０００５】
しかしながら、特許文献１ではヘッドセットの端末本体への接続状態の検出自体がなく、特許文献２では、ヘッドセットの端末本体への接続状態の検出をしているが、ステレオ及びモノラル音声の音声種に応じて、着信音声の音量を調節している。そのため、スピーカー及びヘッドフォンの聴取を切り替える毎に、着信音声の音量を調節する手間が必要であるという問題があった。
【０００６】
携帯端末のスピーカーで最適な音量に設定した後、音量の調節をしなければ、スピーカーで聞くよりも大きな音量をヘッドフォンで聞くことになるため耳の健康を損ねることや、反対に、ヘッドフォンで最適な音量に設定した後、同様に音量の調節をしなければ、ヘッドフォンで聞くよりも小さな音量をスピーカーで聞くことになるため、着信音声を聞き逃す可能性があった。また、ヘッドフォンを携帯端末に接続した状態で、携帯端末をポケットやかばん等に収めている場合、ヘッドフォンから着信音声が出力されるため、同様に、着信音声を聞き逃すという問題もあった。
【０００７】
そこで、本発明は、ヘッドフォンの携帯端末への接続状態に応じて、常に最適な出力箇所及び音量で応答できる携帯端末及び着信音声音量制御方法を提供することを目的とする。
【課題を解決するための手段】
【０００８】
上記の目的を達成するために、本発明の第１の態様によれば、ヘッドフォンと端末本体に内蔵されたスピーカーと、前記ヘッドフォンの前記端末本体への接続状態を検出するヘッドフォン接続検出手段と、その接続状態により前記ヘッドフォン及び前記内蔵ピーカーのうち少なくとも一つから出力する音声の音量を調節する音量調節手段とを備えたことを特徴とする携帯端末が得られる。
【０００９】
本発明の別の態様によれば、コンピュータに、無線部からの着信信号を検出するステップと、着信信号を検出した場合はヘッドフォンの端末本体への接続状態を検出するステップと、前記ヘッドフォンの接続状態により、前記ヘッドフォン及び前記内臓スピーカーのうち少なくとも一つから出力する音声の音量を調節するステップとを実行させることを特徴とするプログラムが得られる。
【００１０】
更に、本発明のもう一つの態様によれば、無線部からの着信信号を検出するステップと、着信信号を検出した場合はヘッドフォンの端末本体への接続状態を検出するステップと、前記ヘッドフォンの接続状態により、前記ヘッドフォン及び前記内臓スピーカーのうち少なくとも一つから出力する音声の音量を調節するステップとを実行させることを特徴とする着信音声音量制御方法が得られる。
【発明の効果】
【００１１】
本発明では、着信音声について常に最適な音量で応答できるため、音量を調節する手間がなくなり、また、ヘッドフォンで大音量が出力されることがないため耳の健康を損ねるおそれや、スピーカーで小音量が出力されることがないため着信音声を聞き逃すことがなくなると言う利点がある。
【００１２】
さらに、ヘッドフォンを携帯端末に接続した状態で、携帯端末をポケットやかばんに収めている状況等においても、着信音声を聞き逃す可能性が低くなった。
【図面の簡単な説明】
【００１３】
【図１】本発明の一実施形態に係る携帯端末を示すブロック図である。
【図２】図１に示された携帯端末の端末本体の動作を説明する処理フローである。
【図３】端末本体の他の動作を示した処理フローである。
【発明を実施するための形態】
【００１４】
以下、本発明の実施の形態に係る携帯端末について図面を参照して詳細に説明する。図１は本発明の第１の実施の形態を示すブロック図、図２はその動作フローである。
【００１５】
図１に示された携帯端末は、端末本体１００と、装置全体の制御を行う制御部１０１と、着信音声及び音楽等のデータを保存するメモリ１０２と、着信音声及び音楽等のデータから出力用信号を生成する音声生成部１０３と、音声生成部１０４の出力用信号の増幅又は減衰を行う音量調節部１０４と、ヘッドフォンの端末本体への接続を検出するヘッドフォン検出部１０５と、着信があったとき着信信号を生成する無線部１０６と、着信音声及び音楽等を出力するスピーカー１０７と、携帯端末に接続され着信音声及び音楽等を出力するヘッドフォン１１０とを有する。
【００１６】
次に、図２のフローチャートをも参照して図１に示された携帯端末の動作について説明する。制御部１０１は、着信があるまで着信信号を検出し続け（ステップＳ２０１：Ｎｏ）、着信があり無線部１０６から着信信号を検出した場合（ステップＳ２０１：Ｙｅｓ）、制御部１０１はヘッドフォン検出部１０５から検出信号を検出する（ステップＳ２０２）。ヘッドフォン１１０が端末本体１００に接続されていないときは（ステップＳ２０２：Ｎｏ）、制御部１０１は、予めメモリ１０２に設定された着信音声及び第１音量のデータをそれぞれ音声生成部１０３及びスピーカーの音量調節部１０４に出力する。音声生成部１０３において生成された出力用信号は、音量調節部１０４において音量調節されスピーカーに送信されることにより、着信音声が第１音量でスピーカー１０７から出力される（ステップＳ２０５、２０６）。ヘッドフォン１１０が端末本体１００に接続されているときは（ステップＳ２０２：Ｙｅｓ）、制御部１０１は、同様に、予めメモリ１０２に設定された着信音声及び第１音量以下の第２音量データをそれぞれ音声生成部１０３及びヘッドフォン１１０の音量調節部１０４に出力する。音声生成部１０３において生成された出力用信号は、音量調節部１０４において音量調節されスピーカーに送信されることにより、着信音声が第２音量でヘッドフォン１１０から出力される（ステップＳ２０３、２０４）。
【００１７】
このように、この実施形態に係る携帯端末は、ヘッドフォン１１０の接続の有無に応じて、ヘッドフォン１１０及びスピーカー１０７に出力される音量を個別に制御できる。即ち、ヘッドフォン１１０の接続の有無を検出するステップＳ２０２及び第１及び第２音量の設定ステップＳ２０５及びＳ２０３は、それぞれヘッドフォン接続検出手段及び音量調節手段と呼ぶことができる。
【００１８】
以下、本発明の第２の実施の形態について図１及び図３を参照して説明する。本実施の形態は、第１の実施の形態において、音楽出力検出手段、即ち、音楽用アプリケーションによる音楽等が出力状態であるか否かを検出する手段であるステップＳ２１０を加えたものである。着信信号を検出するまでの処理は、第１の実施の形態と同様であるため省略し、検出後の処理を説明する。ヘッドフォン１１０が端末本体１００に接続されていないときは（ステップＳ２０２：Ｎｏ）、制御部１０１は、予めメモリ１０２に設定された着信音声及び第１音量のデータをそれぞれ音声生成部１０３及びスピーカーの音量調節部１０４に出力する。音声生成部１０３において生成された出力用信号は、音量調節部１０４において音量調節されスピーカーに送信されることにより、着信音声が第１音量でスピーカー１０７から出力される（ステップＳ２０５、２０６）。ヘッドフォン１１０が端末本体１００に接続されている場合、音楽等が出力されていないときも、着信音声が第１音量でスピーカー１０７から出力される（ステップＳ２０５、２０６）。一方、音楽等が出力されているとき、即ち、音楽用アプリケーションにより音楽等が出力されているとき、制御部１０１によりメモリ１０２から検出されると、着信音声が第２音量でヘッドフォン１１０から出力される（ステップＳ２０３、２０４）。
【００１９】
尚、ヘッドフォン接続検出手段であるＳ２０１及び音楽出力手段であるＳ２０２のブロックを逆にしてもよい。また、上記実施の形態において、ヘッドフォン１１０が端末本体１００に接続されている場合、ヘッドフォン１１０及びスピーカー１０７の両者から、個別に設定された着信音声が出力されるような構成にしてもよい。この構成は、音楽等が出力され、且つ、ヘッドフォン１１０が耳に装着されていない場合、即ち、ヘッドフォン１１０を耳に装着していないにもかかわらず音楽等を停止することを忘れている場合でも、さらに着信を聞き逃す機会を減らすという利点を有する。
【００２０】
図２、３に示されたフローチャートに従う動作は、通常、コンピュータで読み取り可能な記録媒体に記憶されたプログラムによって実行されるが、ハードウェア回路によって実行されても良い。また、ヘッドフォン１１０は、電気的な接続の他、端末本体１００と通信できるものであれば、赤外線等を利用したワイヤレスヘッドフォンでもよい。また、着信音声及び音楽等は、予めメモリ１０２に記憶されているもの、インターネット等のネットワークから受信しメモリ１０２に記憶されたものも含む。また、着信は、ネットワークを通じて受信された電子メール、チャット等の着信も含む。
【００２１】
上記した各実施の形態は、本発明を好適に実施した形態の一例に過ぎず、本発明は、その主旨を逸脱しない限り、種々変形して実施することが可能なものである。
【産業上の利用可能性】
【００２２】
上に説明した実施形態では、携帯電話機について説明したが、携帯型パソコン及びＰＤＡ（Ｐｅｒｓｏｎａｌ  Ｄｉｇｉｔａｌ  Ａｓｓｉｓｔａｎｔ）等、ネットワークを通じて通信可能な携帯端末において、本発明に係る着信音声音量制御方法を適用することができる。
【符号の説明】
【００２３】
１００  端末本体
１０１  制御部
１０２  メモリ
１０３  音声生成部
１０４  音量調節部
１０５  ヘッドフォン検出部
１０６  無線部
１０７  スピーカー
１１０  ヘッドフォン
【図１】
2011103580.tif 000003
【図２】
2011103580.tif 000004
【図３】
2011103580.tif 000005